(57)【特許請求の範囲】
【請求項１】
上取り付けフレームと、下取り付けフレームと、方立と、壁構成体とを備え、上取付フレームは、断面が全体として下方に開口したコ字型の枠材で、断面において水平部と室外側垂下片と室内側垂下片とを有し、室内側垂下片の下部を室内側に屈曲して形成した取付片をインフィルのねじ止め部としてあり、
下取付フレームは、上面を傾斜させた屋外側水切り部と屋内側の支持部分を一体に形成してあり、水切り部と支持部分がつながる箇所の上面に室外側立ち上がり片を有し、支持部分の室内側は上方に屈曲されて室内側立ち上がり片となり、その上端部に室内側に突出した取付片を有しており、
方立は、上端と下端に取り付け部材を有し、
建物のスケルトン開口部に、上取り付けフレームと下取り付けフレームを固定し、方立の上取り付け部材を上取付フレームの水平部または室内側垂下片にねじにより着脱自在に固定し、方立の下取り付け部材を下取り付けフレームの室内側立ち上がり片にねじにより着脱自在に固定することにより、方立を上取り付けフレームと下取り付けフレームとの間にその長手方向の任意の位置に取り付けて開口部を区画し、その区画に壁構成体を、下取り付けフレームに載置し、上枠の室外側当接片を上取り付けフレームの室外側垂下片に当て付けてねじで着脱自在に固定するとともに、下枠の室外側当接片を下取り付けフレームの室外側立ち上がり片にねじで着脱自在に取り付け、
上取り付けフレーム及び下取り付けフレームの取付片にインフィルを取り付けてあることを特徴とした壁体。
【請求項２】
上取り付けフレームと、下取り付けフレームと、方立と、壁構成体とを備え、上取付フレームは、断面が全体として下方に開口したコ字型の枠材で、断面において水平部と室外側垂下片と室内側垂下片とを有し、室内側垂下片の下部を室内側に屈曲して形成した取付片をインフィルのねじ止め部としてあり、
下取付フレームは、上面を傾斜させた屋外側水切り部と屋内側の支持部分を一体に形成してあり、水切り部と支持部分がつながる箇所の上面に室外側立ち上がり片を有し、支持部分の室内側は上方に屈曲されて室内側立ち上がり片となり、その上端部に室内側に突出した取付片を有しており、
方立は、端部方立と中間方立であり、それぞれ上端と下端に取り付け部材を有し、
建物のスケルトン開口部に、上取り付けフレームと下取り付けフレームを固定し、方立の上取り付け部材を上取付フレームの水平部または室内側垂下片にねじにより着脱自在に固定し、方立の下取り付け部材を下取り付けフレームの室内側立ち上がり片にねじにより着脱自在に固定することにより、端部方立をスケルトン開口部の側壁に一側面を対向させて取付け、中間方立は上取り付けフレームと下取り付けフレームとの間におけるその長手方向の任意の位置に取り付けて開口部を区画し、その区画に壁構成体を、下取り付けフレームに載置し、上枠の室外側当接片を上取り付けフレームの室外側垂下片に当て付けてねじで着脱自在に固定するとともに、下枠の室外側当接片を下取り付けフレームの室外側立ち上がり片にねじで着脱自在に取り付け、
上取り付けフレーム及び下取り付けフレームの取付片にインフィルを取り付けてあることを特徴とした壁体。
【発明の詳細な説明】
【０００１】
【発明が属する技術分野】
この発明は、スケルトン開口部に形成する壁体の構造に関する。
スケルトン開口部は、木軸構造の住宅では棟上となった段階の、鉄骨構造の建物では鉄骨組が完了した段階の、鉄筋コンクリート構造の建物ではコンクリートの打設が完了した段階の、それぞれ、未だ壁が形成されていないいわゆる骨組み段階の建物において、梁もしくは天井と床及び左右の柱もしくは壁によって囲まれた開口部である。
なお、壁に設けて窓とする開口部は窓用開口部と称する。
【０００２】
【従来の技術】
スケルトン開口部に形成する壁体は躯体の構造上の強度に格別寄与しないものが多い（非耐力壁）。この場合、壁体に出入り口や窓を形成するものが多いので、デザイン性が高く、また、ドアや開け閉めする障子など、使用によって汚れたり損耗する部材がある。一方、住宅や建物の長寿命化と住居に対する居住者の主張が強くなる傾向によって、壁体そのものを模様替えする必要が多くなっている。
しかし、一般に、壁体の改装は、壁を構成する部材が梁や床、柱に半永久的に固定されており、これらを除去するのに非常な手間がかかる上、埃や音などで周辺に大きな迷惑をかけてしまう。
【０００３】
特開平５−１３３０２３号公報は、現場での壁体の施工が容易であり、また、壁体を多様な形態に容易に変更できるようにするため、複数種類の基本壁ユニットを準備しておき、開口部に取り付けた上取り付け部材と下取り付け部材との間に、選択した複数の基本壁ユニットを建て込むという、壁体の構築法を提案している。
しかし、この公知技術は、上取り付け部材及び下取り付け部材間に基本壁ユニットを取り付けることだけを考慮しており、通常、室内側に付属する額縁や天井材、床材、巾木など種々の内側部材（インフィル）等との関係について開示がない。そして、壁構成体の寸法や個数に応じてスケルトン開口部を自由に区画した場合に、如何にして壁体の強度を満足させて施工するかについて開示がない。
このため、公知技術では、壁体を改装するとインフィルも損傷を受け、本来は必要がなかった内装の手直し工事まで行わねばならないし、施工性に問題があった。
【０００４】
【発明が解決しようとする課題】
この発明は、壁体を、インフィルから独立して施工できると共に施工が簡単な構造とすることを課題とする。
【０００５】
【課題を解決するための手段】
スケルトン開口部に、上取り付けフレームと下取り付けフレームを固定する。
上取り付けフレームと下取り付けフレームは通常、スケルトン開口部の左右幅に相当する長さを有し、断面構造として室外側部分と室内側部分を有する。
スケルトン開口部には、サッシ、サッシを取り付けたパネル、壁面を構成するためのパネル、出窓を取り付けたパネル、ドア、ドアを取り付けたパネルあるいは換気機構などを組み込んだパネル等の壁構成体を選択して取り付ける。サッシやドアには住宅用とビル用があり、また、ビル用の嵌め殺し窓サッシのように枠組みしたサッシや出入り口用サッシだけで全体が１個のパネルとなることもある。これらは、いずれも、上取り付けフレームと下取り付けフレームの室外側部分にねじにより取り外し可能に取り付ける。
【０００６】
インフィルは、天井材や床材、あるいは開口部の縁を仕上げ、装飾するための額縁や巾木などの内装材である。インフィルは、上取り付けフレームと下取り付けフレームの室内側部分にねじにより取り外し可能に取り付ける。
上取り付けフレームと下取り付けフレームの室外側部分と室内側部分は通常、室外側を向いた面、室内側を向いた面となっている。
以上の構成により、上取り付けフレームと下取り付けフレームの室外側部分に取り付けた壁構成体は室内側のインフィルとは関係なく独立して取り外したり、取り付けたりすることができるから、壁体の改装でインフィルを損傷してしまうことが無い。
また、ねじの着脱で壁構成体を室外側から、簡単に取り外し、また、取り付けることができるので、壁体の施工期間が短い。さらに、埃や音が発生する余地も少ない。
【０００７】
上取り付けフレームと下取り付けフレームとの間に方立を用いることがある。方立の位置は任意とし、上取り付けフレームと下取り付けフレームにねじにより取り外し可能に取り付ける。そして、開口部の区画ごとに壁構成体を配置して取り付ける。
方立を利用することによって、上取り付けフレームと下取り付けフレームをスケルトン開口部へ固定する作業が安定するとともに、方立によって壁体が補強される。また、方立の位置を任意とすることで、壁構成体の大きさと配置順序に対応することができる。
さらに、方立を端部方立と中間方立とすることがある。端部方立はスケルトン開口部の両側に開口部の両側に躯体の側壁に隣接して設けるものであり、中間方立は開口部の左右方向の中間に位置する方立である。そして、端部方立は一側面が躯体の側壁への対向面であり、他側面が壁構成体を取付ける面である。端部方立を設けることによってスケルトン開口部の側端部は、壁構成体と直接の構造的な結合関係（固定や取付け）がなくなる。このため、開口部の端部に位置する壁構成体を交換するときに、開口部側端部のインフィルや構成部材を損傷してしまうことがなく、改装工事を短時間で行なえる。
上取り付けフレーム及び下取り付けフレームに壁構成体あるいは方立を取り付けるねじのねじ挿通孔は、少なくとも一方を長孔とすることがある。取り付け位置の調整が可能となって、無理な取り付けや熱延びによる変形を防止することができる。
【０００８】
【発明の実施の形態】
第１の実施形態について説明する（図１〜１０）。
図１は、建築中の集合住宅の一部を正面から見たもので、鉄筋コンクリート構造により躯体１を完成したスケルトン状態にある。躯体１は、配筋後、型枠を組み、コンクリートを打設して形成した柱２と梁３及び床４があり、梁３側の垂れ壁５、床４からの立ち上げ壁６、及び左右の柱２ａ，２ｂに沿った左右の袖壁７ａ，７ｂで囲まれた空間がスケルトン開口部８となっている。
【０００９】
スケルトン開口部８に、上取り付けフレーム９、下取り付けフレーム１０、方立１１（１１ａ，１１ｂ）、壁構成体１２（１２ａ〜１２ｃ  図２）及びインフィル１３（１３ａ〜１３ｄ  図３，図５）を用いて壁体を構成する。
上取り付けフレーム９、下取り付けフレーム１０は、スケルトン開口部８の上辺と下辺に躯体１側のアンカー１４ａ，１４ｂを利用して固定してある（図３）。
上取り付けフレーム９は、断面が全体として下方ヘ開口したコ字形の枠材で、断面において水平部１５と室外側の垂下片１６及び室内側の垂下片１７を有し、水平部１５の上面に前記アンカー１４ａとの係合部１８を有し、室内側の垂下片１７の下部を室内側に屈曲して形成した取り付け片２０を有する（図４）。なお、垂下片１７の下部で室外側は平らな当接部１９となっている。
【００１０】
下取り付けフレーム１０は、上面を傾斜させた屋外側の水切り部分２１と屋内側の支持部分２２を一体に成形してあり、支持部分２２は、下面側に前記のアンカー１４ｂと係合する係合部２３を有し、水切り部分２１と支持部分２２がつながる個所の上面に室外側立ち上がり片２４を有し、支持部分２２の室内側は上方に屈曲されて室内側立ち上がり片２５となり、その上端部に室外側に突出した水平片２６を、また、反対側で室内側に突出した取り付け片２７を有している。
【００１１】
壁構成体１２は、引違い障子２８を装着したサッシ１２ｂとその左右に配置する縦軸回転障子２９を装着したサッシ１２ａ，１２ｃであり、これらを上取り付けフレーム９と下取り付けフレーム１０を固定したスケルトン開口部８に取り付けて壁体を完成する。
壁構成体１２である前記のサッシ１２ａ，１２ｂ及び１２ｃは、いずれも上枠を上取り付けフレーム９に、下枠を下取り付けフレーム１０にねじ止めして着脱可能に取り付ける。
以下、サッシ１２ｂを例に具体的に説明する（図３〜図６）。
【００１２】
サッシ１２ｂは、上枠３０、下枠３１、左右の縦枠３２，３３を矩形に組み付けたサッシ枠３４を有し、その内部に引違い障子２８を装着してある。上枠３０は上面の中間部に室外側当接片３５を上方へ突出して備え、室内側辺縁に室内側当接片３６を上方へ突出して備える（図４）。室外側と室内側の当接片３５，３６の室内外方向での間隔は上取り付けフレーム９における垂下片１６と当接部１９との距離にほぼ等しくしてある。
下枠３１は、下面の中間部に室外側当接片３７を下方へ突出して備え、室内側辺縁に室内側当接片３８を下方へ突出させて備えている。
符号３９は係止突片である。
室外側と室内側の当接片３７，３８の室内外方向での間隔は下取り付けフレーム１０における垂下片２４と水平片２６の室外側先端との距離にほぼ等しくしてある。
【００１３】
左右の縦枠３２，３３は、内周側のタイト材取り付け部４０ａと風止めフィン４０ｂの位置が異なるが、ほぼ左右対称の形態であり、室内側辺縁は外周側に突出した取り付け片４１となっている。
方立１１は中空の押し出し成形材で、上端と下端に階段状に屈曲した取り付けけ部材４２，４３（図８）を用いて上取り付けフレーム９と下取り付けフレーム１０に固定する。
スケルトン開口部８に壁体を形成するときは、この実施形態において、まず、スケルトン開口部８に上取り付けフレーム９と下取り付けフレーム１０を躯体１のアンカー１４ａ，１４ｂに係合して固定する。方立１１は上取り付けフレーム９を固定する際に、上取り付けフレーム９を上方に維持する支持部材として利用し、そのまま位置を調整して固定する。固定は、方立１１側を室外側としてタッピングねじ４４ａ，４４ｂにより、また、ねじを挿通する孔４５ａ，４５ｂ（図７、図８）を長孔にして左右に位置を調整可能としている。長孔を採用してねじによる取り付け位置を調整できるので、無理な取り付けや、応力が偏在した取り付けを排除することができる。
【００１４】
ついで、壁構成体１２であるサッシ１２ａ，１２ｂ，１２ｃを室外側からスケルトン開口部８に嵌め、下枠３６の室内側当接片３８の下端を下取り付けフレーム１０の係止突片３９の室内側に係止させて、下枠３１を下取り付けフレーム１０上に載置安定させ、各上枠３０の室外側当接片３５を上取り付けフレーム９の室外側垂下片１６に当て付け、ねじ４６で着脱可能に取り付ける。また、室内側当接片３６にはＬ字形をした第１の取り付け部材４７ａの垂直部を固定し、一方、上取り付けフレーム９の当接部１９にＬ字形をした第２の取り付け部材４７ｂの垂直部を重ねてタッピングねじ４８ａで固定しておき、これら第１、第２の取り付け部材４７ａ，４７ｂの水平部をねじ４８ｂで固定する。
【００１５】
上枠３０の室外側当接部３５には上下方向の長孔４５ａが形成してあり、また、第２の取り付け部材４７の垂直部にも上下方向の長孔４５ｂを形成してある。したがって、下取り付けフレーム１０上に載置されて位置決めされているサッシ枠３４の第１取り付け部材４７ａに対して上取り付けフレーム９側の第２取り付け部材４７ｂを上下に位置調整して固定することができる。
下枠３１は同様にして、室外側当接片３７を下取り付けフレーム１０の室外側立ち上がり片２４に当て付けてねじ４９で着脱可能に取り付け、室内側当接片３３８は、水平片２６の先端に当接し、この部分に補助的な取り付け部材５０を固定してから、これを利用して上方から下方へねじ５１をねじ込んで取り付ける。
以上のねじによる取り付けはねじの挿通孔を少なくとも一方を長孔にして位置の調整が可能としておく。方立１１の場合と同様に、長孔の採用でねじによる取り付け位置を調整できるので、無理な取り付けや、応力が偏在した取り付けを排除することができる。
左右の縦枠３２，３３と躯体１は、固定しない。これらの間には図５のようにシーリング剤５２を充填するだけとする。また、サッシ１２ａとサッシ１２ｂ、あるいはサッシ１２ｃが接合する個所では方立１１が利用され（図６）、ねじ５３，５４と補助的な取り付け部材５５，５６を利用して相互に結合してある。
【００１６】
最後に、インフィル１３を屋内側から上取り付けフレーム９と下取り付けフレーム１０に取り付ける（図３、図５）。この実施形態において、インフィル１３は額縁であって、上下左右の額縁材１３（ａ〜ｄ）を一体に組み付けてある。インフィル１３は、室内側から上取り付けフレーム９と下取り付けフレーム１０に近づけて、上額縁材１３ａを上取り付けフレーム９の取り付け片２０にねじ５７により取り付け、額縁材１３ｂは、下取り付けフレーム１０の取り付け片２７にねじ５８により取り付ける。左右の額縁材１３ｃ，１３ｄは左右の縦枠３２，３３の室内側面に取り付けた補助的な取り付け部材４１にねじ５９で軽く固定してある。
符号６０は内装パネル、符号６１は補助材であり、額縁材１３ｃ，１３ｄとスケルトン開口部８の左辺、右辺との間に配置し、額縁材１３ｃ，１３ｄが外周側に押されて移動してしまうのを防止する。
壁体を改装するとき、壁構成体１２は室外側あるいは内周側から主たるねじ４６，４８（上取り付けフレーム）、４９，５１（下取り付けフレーム）を取り外すことにより簡単に取り外すことガできる。しかも、その際、インフィル１３とは無関係に、すなわち、独立して作業をすることができるから、改装に際してインフィル１３を損傷することがなく、続く新設工事を短期間にまた低コストで行うことができる。
【００１７】
図９は、鉄骨構造による建物のスケルトン開口部８の例であり、建物の躯体１は縦横に組んだ鉄骨の柱２と梁３及び梁の上面側に打設した床（スラブ）４からなる。梁３と床４及び左右の柱２，２で囲まれた空間がスケルトン開口部８となっている。符号９は、上取り付けフレーム、符号１０は下取り付けフレーム、符号１１は方立である。
このスケルトン開口部８に形成する壁体の構造は第１の実施形態の場合と同じである。ただ、垂れ壁５などがないので開口部の面積が大きく、窓を構成するサッシなどはパネルに組み込まれて（図１０  イ）、そのパネル１２（ａ〜ｃ）を上下の取り付けフレーム９，１０に取り付けることが多い。
また、図１０（ロ）のパネル１２（ｇ〜ｉ）のように、出窓タイプ、引違い障子タイプあるいはドアサッシそのもののように、壁構成体１２は、用途と寸法の必要に応じてさまざまなものが予め準備されている。また、スケルトン開口部８に装着されるパネルの数も限定されない。
【００１８】
第２の実施形態について説明する（図１１〜１６）。この実施形態は第１の実施形態と対比すると、端部方立１１ｃ，１１ｄを備えること、及び方立を上下の取付けフレーム９，１０ヘ取付ける構造に特徴がある。
図１１に示すように、躯体１の、柱２ａ，２ｂと梁３と床４に囲まれこれらの垂れ壁５、立ち上げ壁６および左右の側壁７ａ，７ｂで囲まれたスケルトン開口部８には、第１実施形態の場合と同様に、上下の取付けフレーム９，１０をアンカー１４ａ，１４ｂを用いて固定してある。上下の取付けフレーム９，１０間には、中間方立１１ａ，１１ｂと左右の端部方立を１１ｃ，１１ｄを取付けてある。これにより、開口部８は３つの開口部に区画されている。
各区画にはサッシや目隠しパネルなどを、その上辺と下辺を上下の取付けフレーム９，１０ヘねじにより取り外し可能に取り付け、また、左右を方立ヘねじにより取付けて装着する。
【００１９】
中間方立１１ａ，１１ｂ（図１２，１３）は、左右両側が取付け面となるもので、両側にサッシ１２ａ，１２ｂ（壁構造体  図２）が来る場合はその室内側面に竪額縁などを取付けることがないので断面において室内側が閉じた中空の構造となっている（図１２）。これに対して、左右の取付け面の一方に目隠しパネル１２ｄ（壁構造体）を装着する場合のように、室内側に竪額縁１３などインフィルを取付ける可能性のあるときは、断面において中間方立１１ｂの室内側を開放して方立の側壁を利用してインフィルを取付けることができるようにしてある。
【００２０】
端部方立１１ｃ，１１ｄ（図１４）は、前記した室内側を開放した方立１１ｂを室内外方向の線に沿って半分した断面形状であり、躯体１の側壁７と対向する一側面は平らに形成してある。端部方立１１ｃ，１１ｄの室内側は竪額縁１３などインフィルの取付け面としてあり、また、前記一側面に対する他側面はサッシ１２ｃ（壁構造体）の取付け面としてある。
【００２１】
端部方立１１ｃ，１１ｄは、上下を取付け部材６２ａ，６２ｂを用いて上下の取付けフレーム９，１０へねじ６３で取付ける。ねじ６３は脱着が可能で，必要に応じて端部方立１１ｃ，１１ｄを上下の取付けフレーム９，１０から取り外すことができる。
上方の取付け部材６２ａはＬ字形をした部材である。これは、まず、水平部を上取付けフレーム９の下面側に設けた下面係合溝６４に嵌め（図１５），垂直部を端部方立１１ｃ，１１ｄの取付け面に設けた垂直係合溝６５（図１４）に嵌めてねじ６３で固定し、ついで，上取付けフレーム９の上面側に設けた上面係合溝６６に嵌めた上裏板６７と前記の水平部を、上取付けフレーム９を挟んで、ねじ６３で固定することにより、端部方立１１ｃ，１１ｄの上部を上取り付けフレーム９に取付ける。
【００２２】
下方の取付け部材６２ｂは，端部方立１１ｃ，１１ｄの取付け面に当接する前後方向部と下取り付けフレーム１０における立ち上がり部６８の室外側面に当接する左右方向部とを直交して一体に形成してある。前後方向部を端部方立１１ｃ，１１ｄの取付け面にねじ６３で取付け、ついで，下取付けフレーム１０の立ち上がり部６８に設けてある竪係合部溝６９に下裏板７０を差し込んでスライドさせ、これと左右方向部とを、下取付けフレーム１０を挟んで、ねじ６３により固定する。
なお，図１４，１５において符号７１は端部カバー、符号７２はシール材である。端部カバー７１は下取付けフレーム１０の両端開口部を閉鎖しており、また，シール材７２は端部カバー７１と躯体間を見込み方向にシールしており、サッシの取り替えなどにより、サッシと躯体間に漏水が起きてもこのシール材７２がキャッチパンのように機能して漏水を外部へ排出することができる。
【００２３】
中間方立１１ａ，１１ｂを上下の取付けフレーム９，１０へ取付ける構造は，基本的に端部方立１１ｃ，１１ｄの場合と同じであり、取付け部材６２ａ，６２ｂが左右対称に配置されるにすぎない（図１６）。ただし、上裏板６７は左右の水平部に共通のものでよいし、下取付け部材６２ｂの左右方向部は片側だけとし，前後方向片を方立の下面を受ける格好のコ字形としてもよい。
以上、いずれの実施形態も中間方立が２本の構造について説明したが、これは１本の場合もあれば，３本以上のこともある。
【００２４】
【発明の効果】
請求項１に記載の構成によれば、スケルトン開口部の上下取り付けフレームに対する壁構成体の取り付けを着脱が可能なねじ止めによるので、壁体の施工が簡単であり、施工時間も短い。
壁構成体とインフィルは上下の取り付けフレームを挟んで、相互に独立した状態で取り付けられるので、壁体をインフィルに格別な損傷を与えることなく改装することができる。
方立によって壁体の強度を上げることができる。また、壁構成体を左右の方立と上下の取り付けフレームに囲まれた空間に配置するので、壁構成体が外力から守られ、壁構成体の変形や損傷が少ない。方立は任意の位置に配置するので、採用した壁構成体の寸法や個数に応じてスケルトン開口部を比較的自由に区画することができる。
【００２５】
請求項２に記載の構成によれば、スケルトン開口部の上下取り付けフレームに対する壁構成体の取り付けを着脱が可能なねじ止めによるので、壁体の施工が簡単であり、施工時間も短い。
方立によって壁体の強度を上げることができる。また、壁構成体を左右の方立と上下の取り付けフレームに囲まれた空間に配置するので、壁構成体が外力から守られ、壁構成体の変形や損傷が少ない。方立は任意の位置に配置するので、採用した壁構成体の寸法や個数に応じてスケルトン開口部を比較的自由に区画することができる。
壁構成体の取付け構造を端部方立によって、躯体の側壁から分離してあるので，壁構成体を交換しても躯体側壁やその室内側のインフィルが損傷を受けることがない。このため，ねじによる取り外しが可能な構成と相まって，施工が容易となり、騒音の発生も少ない。
【図面の簡単な説明】
【図１】概略で示した正面図
【図２】壁構成体の斜視図
【図３】壁構成体を取り付けた状態で示す縦断面図
【図４】説明のために分解して示す断面図
【図５】壁構成体を取り付けた状態で示す横断面図
【図６】方立部分の横断面図
【図７】方立の取り付け部を示す斜視図
【図８】方立を取り付けた状態で示す縦断面図（一部側面）
【図９】スケルトン開口部の他の例
【図１０】（イ）（ロ）は、他の壁構成体の例を示す斜視図
【図１１】概略で示した正面図（第２の実施形態）
【図１２】中間方立個所の断面図（両側がサッシ）
【図１３】中間方立個所の断面図（片側が目隠し部）
【図１４】端部方立個所の断面図
【図１５】スケルトン開口部の左端個所を示す斜視図
【図１６】スケルトン開口部の中間個所を示す斜視図
【符号の説明】
１  躯体
２  柱
３  梁
４  床
５  垂れ壁
６  立ち上げ壁
７  袖壁
８  スケルトン開口部
９  上取り付けフレーム
１０  下取り付けフレーム
１１  方立
１２  壁構成体
１２ａ〜１２ｃ  サッシ
１３  インフィル
１３（ａ〜ｄ）  額縁材
１４ａ、１４ｂ  アンカー
１５  水平部
１６  室外側垂下片
１７  室内側垂下片
１８  係合部
１９  当接部
２０  取り付け片
２１  水切り部分
２２  支持部分
２３  係合部
２４  室外側立ち上がり片
２５  室内側立ち上がり片
２６  水平片
２７  取り付け片
２８  引違い障子
２９  縦軸回転窓
３０  上枠
３１  下枠
３２  左枠
３３  右枠
３４  サッシ枠
３５  室外側当接片（上枠）
３６  室内側当接片
３７  室外側当接片（下枠）
３８  室内側当接片
３９  係止突片
４０ａ  タイト材取り付け部
４０ｂ  風止めフィン
４１  取り付け片
４２  取り付け部材（上）
４３  取り付け部材（下）
４４ａ，４４ｂ  タッピングねじ
４６  ねじ
４８ａ，４８ｂ  タッピングねじ
４５ａ，４５ｂ  ねじ挿通孔
４７ａ  Ｌ字形をした第１の取り付け部材
４７ｂ  Ｌ字形をした第２の取り付け部材
４９  ねじ
５０  補助的な取付具
５１，５３，５４，５７，５８，５９  ねじ
５２  シーリング剤
５５，５６  補助的な取り付け部材
６０  内装パネル
６１  補助材
６２ａ  上取付け部材
６２ｂ  下取付け部材
６３  ねじ
６４  下面係合溝
６５  垂直係合溝
６６  上面係合溝
６７  上裏板
６８  立ち上がり部
６９  竪係合溝
７０  下裏板
７１  端部カバー
７２  シール材
【図１】
0003562470.tif 000002
【図２】
0003562470.tif 000003
【図３】
0003562470.tif 000004
【図４】
0003562470.tif 000005
【図５】
0003562470.tif 000006
【図６】
0003562470.tif 000007
【図７】
0003562470.tif 000008
【図８】
0003562470.tif 000009
【図９】
0003562470.tif 000010
【図１０】
0003562470.tif 000011
【図１１】
0003562470.tif 000012
【図１２】
0003562470.tif 000013
【図１３】
0003562470.tif 000014
【図１４】
0003562470.tif 000015
【図１５】
0003562470.tif 000016
【図１６】
0003562470.tif 000017